(57)【要約】【課題】電気光学装置において、いわゆる横クロストークの発生のない、高品質な画像を表示することの可能とする。【解決手段】走査線とデータ線との交差に対応して設けられた画素部を駆動する電気光学装置であって、前記データ線に対してデータ信号（Ｘｊ）を印加するデータ線駆動回路と、該データ信号の印加時点より所定の期間（ＩＮＴ１）の経過後、前記走査線に対して走査信号としての選択電圧（Ｙｐａｔ）を印加する走査線駆動回路とを備えている。これにより、図に破線で示すように、ノイズ電圧の重畳の影響を回避することが可能となる。【選択図】　　　図１１
2004020638.tif 000002
【特許請求の範囲】
【請求項１】
走査線とデータ線との交差に対応して設けられた画素部を駆動する電気光学装置であって、
前記データ線に対してデータ信号を印加するデータ線駆動回路と、
該データ信号の印加時点より所定の期間の経過後、前記走査線に対して走査信号としての選択電圧を印加する走査線駆動回路と
を備えたことを特徴とする電気光学装置。
【請求項２】
前記走査線駆動回路は、
前記選択電圧を印加した後、前記データ信号の印加が終了する時点から所定の期間遡った時点で、当該選択電圧の印加を止めることを特徴とする請求項１に記載の電気光学装置。
【請求項３】
前記データ信号は、両極端にある階調表示を内容とする信号であって、そのいずれか一方を含むことを特徴とする請求項１又は２に記載の電気光学装置。
【請求項４】
前記走査線駆動回路は、
前記データ信号が、両極端にある階調表示を内容とする信号を含まない場合においては、当該データ信号の印加時点と同時に、前記走査線に対して走査信号としての選択電圧を印加し、
前記データ信号が、両極端にある階調表示を内容とする信号を含む場合においては、当該データ信号の印加時点より所定の時間経過後、前記走査線に対して走査信号としての選択電圧を印加することを特徴とする請求項１乃至３のいずれか一項に記載の電気光学装置。
【請求項５】
前記所定の期間は、前記走査線上に生じるノイズ電圧の最大ピークの時間幅よりも大きいことを特徴とする請求項１乃至４のいずれか一項に記載の電気光学装置。
【請求項６】
一の垂直走査期間における一の走査線の選択を一の極性で行った後には、当該一の走査線を次に選択するための垂直走査期間において、当該一の走査線を前記一の極性とは反転した関係にある他の極性で選択することを特徴とする請求項１乃至５のいずれか一項に記載の電気光学装置。
【請求項７】
前記画素部は、
前記走査線及び前記データ線のいずれか一方にその一端が接続された二端子型スイッチング素子と、
前記走査線及び前記データ線のいずれか他方と前記二端子型スイッチング素子の他端に接続された画素電極との間に電気光学物質が挟持された容量と、
を備えていることを特徴とする請求項１乃至６のいずれか一項に記載の電気光学装置。
【請求項８】
前記二端子型スイッチング素子は、導電体、絶縁体及び導電体の構造を有することを特徴とする請求項７に記載の電気光学装置。
【請求項９】
データ線と走査線との交差に対応して設けられた画素部を駆動する電気光学装置の駆動方法であって、
前記データ線に対してデータ信号を印加するステップと、
該データ信号を印加するステップから所定の期間の経過後、前記走査線に対して走査信号としての選択電圧を印加するステップと
を含むことを特徴とする電気光学装置の駆動方法。
【請求項１０】
前記選択電圧を印加するステップの後に、
前記データ信号の印加が終了する時点から所定の期間遡った時点で、当該選択電圧の印加を止めるステップを更に含むことを特徴とする請求項９に記載の電気光学装置の駆動方法。
【請求項１１】
前記データ信号は、両極端にある階調表示を内容とする信号であって、そのいずれか一方を含むことを特徴とする請求項９又は１０に記載の電気光学装置の駆動方法。
【請求項１２】
前記選択電圧を印加するステップは、
前記データ信号が、両極端にある階調表示を内容とする信号を含む場合において実行し、
前記データ信号が、両極端にある階調表示を内容とする信号を含まない場合においては、当該データ信号の印加時点と同時に、前記走査線に対して走査信号としての選択電圧を印加するステップを実施することを特徴とする請求項９乃至１１のいずれか一項に記載の電気光学装置の駆動方法。
【請求項１３】
前記所定の期間は、前記走査線上に生じるノイズ電圧の最大ピークの時間幅よりも大きいことを特徴とする請求項９乃至１２のいずれか一項に記載の電気光学装置の駆動方法。
【請求項１４】
一の垂直走査期間における一の走査線の選択を一の極性で行った後には、当該一の走査線を次に選択するための垂直走査期間において、当該一の走査線を前記一の極性とは反転した関係にある他の極性で選択することを特徴とする請求項９乃至１３のいずれか一項に記載の電気光学装置の駆動方法。
【請求項１５】
請求項１乃至８のいずれか一項に記載の電気光学装置を具備してなることを特徴とする電子機器。
【発明の詳細な説明】
【０００１】
【発明の属する技術分野】
本発明は、電気光学装置及びその駆動方法並びに電子機器の技術分野に属し、特に、薄膜ダイオード（Ｔｈｉｎ　Ｆｉｌｍ　Ｄｉｏｄｅ；以下、適宜「ＴＦＤ」という。）等が画素に対するスイッチング素子としての役割を担う液晶装置等の電気光学装置及びその駆動方法、並びに、そのような電気光学装置を具備してなる電子機器の技術分野に属する。
【０００２】
【背景技術】
近年、液晶等の電気光学物質の電気光学的変化を利用して、画像を表示することの可能な電気光学装置が、各種の電子機器やテレビなどに広く用いられつつある。これによれば、従来の陰極線管（ＣＲＴ）を用いたテレビ等では達成し得なかった、薄型化、小型化、低消費電力化等といった数多くの特徴を享受することができる。
【０００３】
このような電気光学装置には、既に数多くのタイプが提案されているが、その多くは適当な基準により分類することができる。例えば、駆動方式等による分類が一般的になされ、具体的には、スイッチングにより画素を駆動するアクティブ・マトリクス型と、スイッチング素子を用いないで画素を駆動するパッシブ・マトリクス型とに大別することができる。このうち、前者のアクティブ・マトリクス型では、スイッチング素子の種類によって更に、薄膜トランジスタ（Ｔｈｉｎ　Ｆｉｌｍ　Ｔｒａｎｓｉｓｔｏｒ；以下、適宜「ＴＦＴ」という。）などの三端子型スイッチング素子を用いるタイプと、ＴＦＤなどの二端子型スイッチング素子を用いるタイプとに大別することができる。
【０００４】
このうち後者のＴＦＤ等の二端子型スイッチング素子を用いる電気光学装置は、一の方向に沿って延在するセグメント電極としての複数のデータ線、これに交差する他の方向に沿って延在するコモン電極としての走査線、並びに該データ線及び該走査線間に挟持された液晶等の電気光学物質（以下、「液晶」に代表させる。）を備えている。これにより、例えば、液晶を誘電体とし、データ線に接続された画素電極及び走査線を一対の電極とする、コンデンサ、いわゆる液晶容量が構成されることになる。そして、ＴＦＤは、前記のデータ線及び画素電極間に形成され、前記液晶容量に電界を印加するか否かのスイッチング素子としての役割を担うことになる。
【０００５】
【発明が解決しようとする課題】
しかしながら、ＴＦＤをスイッチング素子として用いる電気光学装置においては、次のような問題点があった。すなわち、このような電気光学装置では、前記走査線を駆動するための走査線駆動回路の出力抵抗、該走査線駆動回路及び走査線間を結線する引出配線の抵抗、更には走査線それ自身が有する配線抵抗という、いわば同一線上に乗る抵抗が存在するとともに、前記の液晶容量が並列的に加わることで、微分回路が形成されているとみることができる。したがって、データ線上の電圧が変化すると、その変化分が走査線上の電圧に微分状のノイズ電圧として重畳されることになる。そして、このようなノイズ電圧が走査線に加わると、選択電圧の波形が変化することをはじめ、ＴＦＤのスイッチング素子としての機能にも影響が及び、画像上にクロストークを発生させることになるのである。これは、ＴＦＴとは異なり、ＴＦＤは印加される電圧によってその抵抗値が大きく変化するためである。
【０００６】
ちなみに、前記クロストークは、上述のような事情から、前記の「同一線」に沿うような形であらわれる。特に電子機器等に内蔵された電気光学装置において、前記走査線は水平方向に沿って配線されることが一般的であるため、前記のクロストークは、いわゆる「横クロストーク」として観察されることになる。
【０００７】
本発明は、上記問題点に鑑みてなされたものであり、いわゆる横クロストークの発生のない、高品質な画像を表示することの可能な電気光学装置及びその駆動方法並びにそのような電気光学装置を具備してなる電子機器を提供することを課題とする。
【０００８】
【課題を解決するための手段】
本発明の電気光学装置は、上記課題を解決するため、走査線とデータ線との交差に対応して設けられた画素部を駆動する電気光学装置であって、前記データ線に対してデータ信号を印加するデータ線駆動回路と、該データ信号の印加時点より所定の期間の経過後、前記走査線に対して走査信号としての選択電圧を印加する走査線駆動回路とを備えている。
【０００９】
本発明の電気光学装置によれば、データ線に対してデータ信号を印加し、走査線に対して走査信号としての選択電圧を印加することにより、画素部を駆動することが可能である。ここに画素部とは、例えば、前記データ線に接続された画素電極及び前記走査線を一対の電極とし、その間に電気光学物質の一例たる液晶を挟持することで構成されるコンデンサ、すなわち液晶容量等を備える。この場合、画素部を駆動するとは、この液晶容量が所定の電圧になるように、この容量を充電することであり、該充電量は、データ信号としての電圧値と選択電圧値との差に応じた量になる。そして、このような電界印加が画素部毎に行われると、該画素部毎に、液晶分子の配向状態等が変化し、光の透過率が変化することで、画像を表示することが可能となる。
【００１０】
そして本発明では特に、データ線駆動回路がデータ線に対してデータ信号を印加した後、所定の期間の経過後に、走査線に対して走査信号としての選択電圧を印加する走査線駆動回路を備えている。すなわち、データ信号の印加タイミングと選択電圧の印加タイミングとは、後者が前者より前記所定の期間だけ後にずらされるのである。
【００１１】
これによれば、データ信号の印加によって、走査線上に惹起されるノイズ電圧の影響を極力回避することが可能となる。つまり、そのような影響は、前記所定の期間内において、いわば「やり過ごす」ことが可能となるから、選択電圧の波形がノイズ電圧によって大きく変形するということがなく、したがって、前記液晶容量に印加される電界に変動が生じるということもなくなるのである。
【００１２】
よって、本発明によれば、走査線上に生じるノイズ電圧の影響を殆ど受けることなく、横ストロークの発生のない高品質な画像を表示することが可能となる。
【００１３】
なお、本発明に言う「電気光学装置」とは、一般的には、前記走査線及び前記データ線等における通電等を通じた適当な電界の印加により、その状態を変じ、かつ、その光学的特性が変化する電気光学物質を備えたものが想定される。
【００１４】
このような電気光学物質として、より具体的には例えば、前記の液晶を挙げることができる。
【００１５】
本発明の電気光学装置の一態様では、前記走査線駆動回路は、前記選択電圧を印加した後、前記データ信号の印加が終了する時点から所定の期間遡った時点で、当該選択電圧の印加を止める。
【００１６】
この態様によれば、データ信号の印加が終了する時点から所定の期間遡った時点で、選択電圧の印加を止めるから、該データ信号の印加終了時に引き起こされるノイズ電圧の影響を受けることの回避も可能となる。したがって、本態様によれば、より高品質な画像を表示することが可能となる。
【００１７】
本発明の電気光学装置の他の態様では、前記データ信号は、両極端にある階調表示を内容とする信号であって、そのいずれか一方を含む。
【００１８】
この態様によれば、データ信号が、両極端にある階調表示、すなわち通常は、白色又は黒色表示を内容とする信号のいずれか一方を含む。例えば、データ信号が白色表示を内容とする信号である場合を考えると、当該データ信号は、通常であれば、選択電圧が印加されている期間すべてにわたって、データ線に印加されることになる。すなわち、この場合、従来であれば、選択電圧の立ち上がり時とデータ信号の立ち上がり時とが一致してしまうとともに、選択電圧の立ち下がり時とデータ信号の立ち下がり時も一致してしまうことになるから、前記ノイズ電圧の影響を最も受けやすいということがいえる。このようなことは、データ信号が黒色表示を内容とする信号である場合でも、前記とはその極性が異なるだけで、同様に当てはまる。
【００１９】
しかるに、本態様においては、選択電圧の印加タイミングとデータ信号の印加タイミングとは、上述のように所定の期間ずらされているのであるから、ノイズ電圧の影響を受けることが殆どない。よって、本態様によれば、効果的に、高品質な画像を表示することが可能となる。
【００２０】
本発明の電気光学装置の他の態様では、前記走査線駆動回路は、前記データ信号が、両極端にある階調表示を内容とする信号を含まない場合においては、当該データ信号の印加時点と同時に、前記走査線に対して走査信号としての選択電圧を印加し、前記データ信号が、両極端にある階調表示を内容とする信号を含む場合においては、当該データ信号の印加時点より所定の時間経過後、前記走査線に対して走査信号としての選択電圧を印加する。
【００２１】
この態様によれば、ノイズ電圧の影響を最も受けやすい場合においてのみ、選択電圧の印加タイミングをずらし、そうでない場合には、データ信号の印加タイミングと選択電圧の印加タイミングとを同時とする。これにより、必要最小限の処理を行うのみで、高品質な画像を表示することが可能となる。
【００２２】
本発明の電気光学装置の他の態様では、前記所定の期間は、前記走査線上に生じるノイズ電圧の最大ピークの時間幅よりも大きい。
【００２３】
この態様によれば、選択電圧の印加タイミングは、前記走査線上に生じるノイズ電圧の最大ピークの時間幅よりも大きくなるから、該ノイズ電圧による主要な影響を排除することが可能である。したがって、上述にも増して、より高品質な画像を表示することが可能となる。
【００２４】
本発明の電気光学装置の他の態様では、一の垂直走査期間における一の走査線の選択を一の極性で行った後には、当該一の走査線を次に選択するための垂直走査期間において、当該一の走査線を前記一の極性とは反転した関係にある他の極性で選択する。
【００２５】
この態様によれば、液晶等の電気光学物質に、連続して直流電流が流れることを防止することができ、その劣化を防ぐことが可能となる。また、この態様によれば特に、本発明に係る「所定の期間」の経過中、特有の作用効果が得られる。以下これを順次説明する。
【００２６】
まず、例えば、第１垂直走査期間内で第１走査線をマイナス極性で選択した後、次の第２垂直走査期間内で該第１走査線をプラス極性で選択する場合を想定するとともに、この第２垂直走査期間で白色表示を行う場合を想定すれば、そのためのデータ信号は、これらの垂直走査期間の切り替え時に、プラス極性（ただし、これはノーマリホワイトモードの場合。ノーマリブラックモードの場合はマイナス極性となる。以下同じ。）とされることになる。ここで、本発明では、選択電圧の印加時点が、データ信号の印加時点よりも後であるから、第２垂直走査期間内における第１走査線の電圧は、暫くの間（＝所定の期間）、第１垂直走査期間における極性、すなわちマイナス極性を維持することになる。ところが、マイナス極性の選択電圧が印加されている状況下で、前記のプラス極性のデータ信号を印加することは、黒色表示を行うことを意味する。つまり、本態様においては、選択電圧の印加時点を遅らせることで、第２垂直走査期間内における所定の期間、黒色表示を内容とするデータ信号が、該第１走査線に向けて供給されることとなるのである。
【００２７】
他方、ここで、前記プラス極性のデータ信号の印加により、第１走査線上に重畳されるノイズ電圧について考えると、該第１走査線上の各種抵抗及び液晶容量からなる微分回路の作用によって、該第１走査線には、プラス側にピークを有する微分波形をもつノイズ電圧が重畳されることになる。これは、液晶容量に印加される電圧実効値を低める作用、換言すれば、白色に近い表示を行う作用となって現れることになる。
【００２８】
これらの二つの事情を考慮すると、両者は互いに相殺しあうような関係にあることがわかる。というのも、前者では黒色表示が行われ、後者では白色に近い表示を行う作用が働くからである。したがって、本態様によれば、これら二つの作用によって、結局のところ、本来表示すべき階調に近い階調の画像を表示することが可能となるのである。
【００２９】
本発明の電気光学装置の他の態様では、前記画素部は、前記走査線及び前記データ線のいずれか一方にその一端が接続された二端子型スイッチング素子と、前記走査線及び前記データ線のいずれか他方と、前記二端子型スイッチング素子の他端に接続された画素電極との間に電気光学物質が挟持された容量とを備えている。
【００３０】
この態様のように、二端子型スイッチング素子を用いると、三端子型スイッチング素子を用いた構成と比較して、配線間の短絡不良が原理的に発生しない点や、製造プロセスが簡略化される点などにおいて有利である。
【００３１】
本発明の電気光学装置の他の態様では、前記二端子型スイッチング素子は、導電体、絶縁体及び導電体の構造を有する。
【００３２】
この態様によれば、いずれかの導電体が、そのまま走査線又はデータ線として用いることが可能であり、また、絶縁体は該導電体自体を酸化することで形成可能である。
【００３３】
本発明の電気光学装置の駆動方法は、データ線と走査線との交差に対応して設けられた画素部を駆動する電気光学装置の駆動方法であって、前記データ線に対してデータ信号を印加するステップと、該データ信号を印加するステップから所定の期間の経過後、前記走査線に対して走査信号としての選択電圧を印加するステップとを含む。
【００３４】
本発明の電気光学装置の駆動方法によれば、データ線に対してデータ信号を印加し、走査線に対して走査信号としての選択電圧を印加することにより、画素部を駆動することが可能である。ここに画素部とは、例えば、前記データ線に接続された画素電極及び前記走査線を一対の電極とし、その間に電気光学物質の一例たる液晶を挟持することで構成されるコンデンサ、すなわち液晶容量等を備える。この場合、画素部を駆動するとは、この液晶容量が所定の電圧になるように、この容量を充電することであり、該充電量はは、データ信号としての電圧値と選択電圧値との差に応じた量になる。そして、このような電界印加が画素部毎に行われると、該画素部毎に、液晶分子の配向状態等が変化し、光の透過率が変化することで、画像を表示することが可能となる。
【００３５】
そして本発明では特に、データ線に対してデータ信号を印加するステップを実施した後、所定の期間の経過後に、走査線に対して走査信号としての選択電圧を印加する。すなわち、データ信号の印加タイミングと選択電圧の印加タイミングとは、後者が前者より前記所定の期間だけ後にずらされるのである。
【００３６】
これによれば、データ信号の印加によって、走査線上に惹起されるノイズ電圧の影響を極力回避することが可能となる。つまり、そのような影響は、前記所定の期間内において、いわば「やり過ごす」ことが可能となるから、選択電圧の波形がノイズ電圧によって大きく変形するということがなく、したがって、前記液晶容量に印加される電界に変動が生じるということもなくなるのである。
【００３７】
よって、本発明によれば、走査線上に生じるノイズ電圧の影響を殆ど受けることなく、横ストロークの発生のない高品質な画像を表示することが可能となる。
【００３８】
本発明の電気光学装置の駆動方法の一態様では、前記選択電圧を印加するステップの後に、前記データ信号の印加が終了する時点から所定の期間遡った時点で、当該選択電圧の印加を止めるステップを更に含む。
【００３９】
この態様によれば、データ信号の印加が終了する時点から所定の期間遡った時点で、選択電圧の印加を止めるから、該データ信号の印加終了時に引き起こされるノイズ電圧の影響を受けることの回避も可能となる。したがって、本態様によれば、より高品質な画像を表示することが可能となる。
【００４０】
本発明の電気光学装置の駆動方法の他の態様では、前記データ信号は、両極端にある階調表示を内容とする信号であって、そのいずれか一方を含む。
【００４１】
この態様によれば、データ信号が、両極端にある階調表示、すなわち通常は、白色又は黒色表示を内容とする信号のいずれか一方を含む。例えば、データ信号が白色表示を内容とする信号である場合を考えると、当該データ信号は、通常であれば、選択電圧が印加されている期間すべてにわたって、データ線に印加されることになる。すなわち、この場合、従来であれば、選択電圧の立ち上がり時とデータ信号の立ち上がり時とが一致してしまうとともに、選択電圧の立ち下がり時とデータ信号の立ち下がり時も一致してしまうことになるから、前記ノイズ電圧の影響を最も受けやすいということがいえる。このようなことは、データ信号が黒色表示を内容とする信号である場合でも、前記とはその極性が異なるだけで、同様に当てはまる。
【００４２】
しかるに、本態様においては、選択電圧の印加タイミングとデータ信号の印加タイミングとは、上述のように所定の期間ずらされているのであるから、ノイズ電圧の影響を受けることが殆どない。よって、本態様によれば、効果的に、高品質な画像を表示することが可能となる。
【００４３】
本発明の電気光学装置の駆動方法の他の態様では、前記選択電圧を印加するステップは、前記データ信号が、両極端にある階調表示を内容とする信号を含む場合において実行し、前記データ信号が、両極端にある階調表示を内容とする信号を含まない場合においては、当該データ信号の印加時点と同時に、前記走査線に対して走査信号としての選択電圧を印加するステップを実施する。
【００４４】
この態様によれば、ノイズ電圧の影響を最も受けやすい場合においてのみ、選択電圧の印加タイミングをずらし、そうでない場合には、データ信号の印加タイミングと選択電圧の印加タイミングとを同時とする。これにより、必要最小限の処理を行うのみで、高品質な画像を表示することが可能となる。
【００４５】
また、本発明の電気光学装置の駆動方法の他の態様では、前記所定の期間は、前記走査線上に生じるノイズ電圧の最大ピークの時間幅よりも大きく、更に、本発明の電気光学装置の駆動方法の他の態様では、一の垂直走査期間における一の走査線の選択を一の極性で行った後には、当該一の走査線を次に選択するための垂直走査期間において、当該一の走査線を前記一の極性とは反転した関係にある他の極性で選択する。
【００４６】
これらの態様によれば、上述の本発明の電気光学装置の変形態様について述べた説明がそのまま当てはまり、前者によれば、選択電圧の印加タイミングは、前記走査線上に生じるノイズ電圧の最大ピークの時間幅よりも大きくなるから、該ノイズ電圧による主要な影響を排除することが可能となって、より高品質な画像を表示することが可能となり、後者によれば、黒色表示と白色表示との相殺作用（上述参照）によって、結局のところ、本来表示すべき階調に近い階調の画像を表示することが可能となる。
【００４７】
本発明の電子機器は、上述の本発明の電気光学装置（但し、その各種態様を含む。）を具備してなる。
【００４８】
本発明の電子機器によれば、上述の本発明の電気光学装置を具備してなるから、横クロストークの発生のない高品質な画像を表示することの可能な、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００４９】
本発明のこのような作用及び他の利得は次に説明する実施の形態から明らかにされる。
【００５０】
【発明の実施の形態】
以下では、本発明の実施の形態について図を参照しつつ説明する。以下の実施形態は、本発明の電気光学装置を液晶装置に適用したものである。
【００５１】
＜電気光学装置の概要＞
最初に、本発明の実施形態に係る電気光学装置の概要について、図１乃至図３を参照しながら説明する。なお、以下では、本実施形態に係る電気光学装置の概要を、その電気的構成及び機械的構成に分けた上で説明する。
【００５２】
＜電気的構成＞
まず、本実施形態に係る電気光学装置の電気的構成について、図１を参照しながら説明する。ここに図１は、本実施形態に係る電気光学装置の電気的構成を示す斜視図である。
【００５３】
図１において、電気光学装置は、複数のデータ線２１２（セグメント電極）２１２が列（Ｙ）方向に延在して形成される一方、複数の走査線３１２（コモン電極）３１２が行（Ｘ）方向に延在して形成されている。これらデータ線２１２及び走査線３１２間には電気光学物質の一例たる液晶が挟持されており、データ線２１２に接続された画素電極２３４（後述）及び走査線３１２を一対の電極、前記液晶１６０を誘電体とする液晶容量１１８が構成されている。そして、データ線２１２と走査線３１２との各交差領域には、液晶容量１１８に対する電荷の印加を制御する、スイッチング素子としてのＴＦＤ２２０が、該液晶容量１１８に直列に接続されている。本実施形態では、以上述べた画素電極２３４、走査線３１２の一部、液晶容量１１８及びＴＦＤ２２０によって、画素部１１６が構成されている。
【００５４】
また、前記走査線３１２には、走査線駆動回路３５０が接続されており、これにより走査線３１２の各々に対しては、走査信号が供給される。より具体的には、走査線駆動回路３５０は、複数の走査線３１２一本一本を、後述するような順序で「選択」する作用を担い、選択された走査線３１２に対しては選択電圧が、そうでない走査線３１２に対しては非選択電圧が、それぞれ供給されることになる。また、前記データ線２１２には、データ線駆動回路２５０が接続されており、これによりデータ線２１２の各々に対しては、データ信号が供給される。なお、本実施形態においては、走査線３１２の数及びデータ線２１２の数を、それぞれ一般に、ｍ本及びｎ本あるものとする。
【００５５】
一方、制御回路４００は、階調データ（後述）や各種制御信号、クロック信号などを供給して、両者を制御するものである。また、駆動電圧形成回路は、電圧＋Ｖｓ、−Ｖｓ、＋Ｖｄ／２及び−Ｖｄ／２を生成する。
【００５６】
ここで本実施形態において、走査線３１２やデータ線２１２に印加される電圧の極性基準は、データ線２１２に印加されるデータ電圧±Ｖｄ／２の中間電圧（仮想電圧）であり、これよりも高電位側を正極とし、低電位側を負極としている。すなわち、本明細書において使用される「極性」、「極性反転」等の用語は、単に、プラス電圧とマイナス電圧の交換という意味ではなく、例えば、＋Ｖ１という電圧と＋Ｖ２という電圧との間の電圧を基準とした場合における、これら＋Ｖ１及び＋Ｖ２の交換という意味をも含む。
【００５７】
＜機械的構成＞
次に、本実施形態に係る電気光学装置の機械的な構成について、図２及び図３を参照しながら説明する。ここに図２は、電気光学装置の全体構成を示す斜視図であり、図３は、この電気光学装置をＸ方向に沿って破断した場合の構成を示す部分断面図である。
【００５８】
これらの図に示されるように、電気光学装置は、観察者側に位置する対向基板３００と、その背面側に位置する素子基板２００とが、スペーサを兼ねる導電性粒子（導通材）１１４の混入されたシール材１１０によって、一定の間隔を保って貼り合わせられるとともに、この間隙に例えばＴＮ型の液晶１６０が封入された構成となっている。なお、シール材１１０は、図２に示すように、対向基板３００の内周縁に沿って枠状に形成されるが、その一部には、液晶１６０を封入するための開口部１１２が形成されている。この開口部１１２は、液晶１６０の封入後には、封止材によって封止される。また、図２からわかるように、素子基板２００の外形形状は、対向基板３００のそれよりも若干大きめに形成されており、両者が貼り合わされた状態では、前者が後者より、いわば「張り出す」ような形となる。
【００５９】
対向基板３００の、液晶１６０に対向する側の面（以下、「対向面」という。）には、行方向に延在して形成される走査線３１２のほか、所定の方向にラビング処理が施された配向膜３０８が形成されている。ここで、対向基板３００に形成された走査線３１２は、図３に示すように、素子基板２００に形成された配線３４２の一端に、シール材１１０に分散された導電性粒子１１４を介して接続されている。すなわち、対向基板３００に形成された走査線３１２は、導電性粒子１１４及び配線３４２を介して、素子基板２００側に引き出された構成となっている。一方、対向基板３００の外側（観察側）には、偏光子１３１が貼り付けられて、その吸収軸が、配向膜３０８へのラビング処理の方向に対応して設定されている。
【００６０】
また、素子基板２００の対向面には、Ｙ方向に延在して形成されるデータ線２１２に隣接して矩形状の画素電極２３４が形成されるほか、所定の方向にラビング処理が施された配向膜２０８が形成されている。一方、素子基板２００の外側（観察側の反対側）には偏光子１２１が貼り付けられて（図２では省略）、その吸収軸が、配向膜２０８へのラビング処理の方向に対応して設定されている。このほかに、素子基板２００の外側には、均一に光を照射するバックライトユニットが設けられるが、本件とは直接には関係しないので、図示を省略している。
【００６１】
続いて、表示領域外について説明すると、図２に示すように、対向基板３００から張り出した素子基板２００上の二辺には、データ線２１２を駆動するためのデータ線駆動回路２５０、及び、走査線３１２を駆動するための走査線駆動回路３５０が、それぞれＣＯＧ（Ｃｈｉｐ　Ｏｎ　Ｇｌａｓｓ）技術により実装されている。これにより、データ線駆動回路２５０は、データ線２１２にデータ信号を直接的に供給する一方、走査線駆動回路３５０は、配線３４２及び導電性粒子１１４を介して、走査線３１２に走査信号を間接的に供給する構成となっている。
【００６２】
また、データ線駆動回路２５０が実装される領域の外側近傍には、ＦＰＣ（Ｆｌｅｘｉｂｌｅ　Ｐｒｉｎｔｅｄ　Ｃｉｒｃｕｉｔ）基板が接合されて、制御回路などによる各種信号や電圧信号などが、走査線駆動回路２５０及びデータ線駆動回路３５０に供給される。
【００６３】
なお、図１におけるデータ線駆動回路２５０及び走査線駆動回路３５０は、図２とは異なり、それぞれ電気光学装置の左側及び上側にそれぞれ位置しているが、これは、電気的な構成を説明するための便宜上の措置に過ぎない。また、データ線駆動回路３５０及び走査線駆動回路２５０を、それぞれ素子基板２００上にＣＯＧ実装する代わりに、例えば、ＴＡＢ（Ｔａｐｅ　Ｃａｒｒｉｅｒ　Ｐａｃｋａｇｅ）技術を用いて、各駆動回路が実装されたＴＣＰを異方性導電膜により電気的に接続する構成としてもよい。
【００６４】
＜画素部の構成＞
以下では、概ね上述のような外形を備える電気光学装置を構成する画素部１１６の詳細について、図４を参照しながら説明する。ここに図４は、画素部１１６の構成を示す破断斜視図である。なお、図４では、画素部１１６の主要な構成を示すに留まり、図３に示されていた配向膜２０８及び３０８、偏光子１２１及び１３１の図示は省略している。
【００６５】
図４において、素子基板２００の対向面には、ＩＴＯ（Ｉｎｄｉｕｍ　Ｔｉｎ　Ｏｘｉｄｅ）等の透明導電性材料からなる矩形状の画素電極２３４がマトリクス状に配列されている。このうち同一列に配列されている画素電極２３４が、１本のデータ線２１２に、それぞれＴＦＤ２２０を介して共通接続されている。ここでＴＦＴ２２０は、基板側からみると、タンタル単体やタンタル合金などから形成され、かつ、データ線２１２からＴ字状に枝分かれした第１の導電体２２２と、この第１の導電体２２２を陽極酸化させた絶縁体２２４と、クロム等の第２の導電体２２６とから構成されて、導電体、絶縁体、導電体のサンドイッチ構造をとる。このため、ＴＦＴ２２０は、電流・電圧特性が正負双方向にわたって非線形となるダイオードスイッチング特性を有することになる。
【００６６】
なお、素子基板２００の上面には、下地として透明性を有する絶縁膜２０１が形成されている。この絶縁膜２０１は、第２の導電体２２６の堆積後における熱処理により、第１の導電体２２２が剥離しないようにするため、及び、第１の導電体２２２に不純物が拡散しないようにするために設けられている。したがって、これらが問題とならない場合には、絶縁膜２０１は省略可能である。
【００６７】
一方、対向基板３００の対向面には、ＩＴＯ等からなる走査線３１２が、データ線２１２とは直交する行方向に延在し、かつ、画素電極２３４に対向する位置に配列されている。これにより、走査線３１２は、画素電極２３４の対向電極として機能することになる。したがって、図１における液晶容量１１８は、データ線２１２及び走査線３１２の交差領域において、当該走査線３１２及び画素電極２３４と両者の間に挟持された液晶１６０とによって構成されることになる。
【００６８】
このような構成において、データ線２１２に印加されているデータ電圧にかかわらず、ＴＦＤ２２０がオンする選択電圧を走査線３１２に印加すると、当該走査線３１２及び当該データ線２１２の交差に対応するＴＦＤ２２０がオンして、オンしたＴＦＤ２２０に接続された液晶容量１１８に、当該選択電圧及び当該データ電圧の差に応じた電荷が蓄積される。電荷蓄積後、走査線３１２に非選択電圧を印加して、当該ＴＦＤ２２０をオフさせても、液晶容量１１８における電荷の蓄積が維持される。
【００６９】
ここで、液晶容量１１８に蓄積される電荷量に応じて、液晶１６０の配向状態が変化するので、偏光子１２１及び１３１を通過する光量もまた、それに応じて変化する。したがって、選択電圧が印加されたときのデータ電圧によって、液晶容量１１８における電荷の蓄積量を画素毎に制御することで、所定の階調表示が可能となる。
【００７０】
＜駆動方法＞
以下では、上述のように構成された電気光学装置ないし画素部１１６の駆動方法について説明する。なお、本実施形態では、駆動方法として、いわゆる四値駆動法（１Ｈセレクト、１Ｈ反転）を基礎とした説明を行う。したがって、以下ではまず、四値駆動法（１Ｈセレクト、１Ｈ反転）の基本的な説明を行った後、これに本発明に係る駆動方法を適用した実施形態について説明することとする。ただし、本発明は、このような形態に限定されるものではなく、その他種々の駆動法（例えば、四値駆動法（１Ｈセレクト、１／２Ｈ反転）等）についても、同様に当てはめることが可能であることは言うまでもない。
【００７１】
まず、四値駆動法（１Ｈセレクト、１Ｈ反転）の基本的な説明を行う。図５は、この駆動方法において、ｉ行（１≦ｉ≦ｍを満たす整数）、ｊ列（１≦ｊ≦ｎを満たす整数）の画素部１１６に印加される走査信号Ｙｉとデータ信号Ｘｊとの波形例を示す図である。
【００７２】
この図における四値駆動法は、走査信号Ｙｉとして、一水平走査期間（１Ｈ）に選択電圧＋Ｖｓを印加した後、非選択期間（保持期間）に非選択電圧＋Ｖｄ／２を印加するとともに、前回の選択から一垂直走査期間（１Ｆ）を経過すると、今度は選択電圧−Ｖｓを印加して、非選択期間に非選択電圧−Ｖｄ／２を印加するという動作を繰り返す一方、データ信号Ｘｊとして電圧±Ｖｄ／２のいずれかを印加する、というものである。
【００７３】
なお、本実施形態においては特に、上述の図５において選択電圧＋Ｖｓ又は−Ｖｓが印加されている期間、すなわち前記一水平走査期間を、特別に「選択期間」と命名する。この選択期間は、上の説明から明らかなように、１本の走査線３１２につき一垂直走査期間（１Ｆ）内に１回訪れる。そして、この本実施形態にいう選択期間とは、或る一定の決まった長さを有する。このことは、以下で述べるように、図５とは異なって、選択期間すべてにわたって選択電圧が印加されるわけではない本実施形態において、特別な意義を有することとなる。
【００７４】
さて、本実施形態においては、ある走査線３１２への走査信号Ｙｉとして選択電圧＋Ｖｓを印加すると、その次の行に位置する走査線３１２への走査信号Ｙｉ＋１として選択電圧−Ｖｓを印加する、というように一水平走査期間（１Ｈ）ごとに選択電圧の極性が反転される動作も行われる。
【００７５】
一方、データ信号Ｘｊの電圧は、選択電圧＋Ｖｓを印加する場合であって、画素部１１６を、黒色表示とするときには−Ｖｄ／２となり、白色表示とするときには＋Ｖｄ／２となる。また、選択電圧−Ｖｓを印加する場合には、いま述べたのとちょうど逆となる。
【００７６】
さらに、白と黒の間の中間調の表示を行うためには、データ信号の印加時間を調整すればよい。例えば、白色及び黒色をその両極端として含む８階調表示を行おうとする場合、走査線３１２に選択電圧が印加される期間内を７分割した時間幅を想定し、図６に示すように、その時間幅の２つ以上６つ以下の期間に対して＋Ｖｄ／２又は−Ｖｄ／２を印加する、等とすればよい。この場合、上述で述べた白色表示又は黒色表示は、７つの時間幅すべてにわたって、＋Ｖｄ／２又は−Ｖｄ／２が印加される場合であることは言うまでもない（図６のデータ信号Ｘｊの最上段及び最下段参照）。ただし、図６は、選択電圧が＋Ｖｄの場合であり、選択電圧が−Ｖｄの場合には、これとはちょうど逆の関係になる。具体的には、図６における下段から順に、（０００）、（００１）、…、（１１１）というように読み替えたものを想定すればよい。
【００７７】
これによれば、データ信号Ｘｊが印加されている時間に応じて、液晶容量１１８にかかる実効電圧値が段階的に変化することになるから、その光透過率も段階的に変化することになり、中間調の表示が可能となるのである。
【００７８】
なお、図６の左の列に示されている（ｓｐｑ）（ｓ，ｐ及びｑは、０又は１）は、ｊ列目のデータ線２１２に供給されるデータ信号Ｘｊに対応する階調データを表している。また、上で述べた電圧のプラス・マイナスは、本実施形態に係る電気光学装置がノーマリホワイトモードで駆動される場合に該当する。ノーマリブラックモードで駆動される場合においては、前述のプラス・マイナスはすべて逆になる。
【００７９】
ちなみに、上述のような場合、前記時間幅の一つ一つを一単位と捉えるとともに、この一単位に＋Ｖｄ／２又は−Ｖｄ／２を印加する態様を「パルス信号の印加」と捉えるならば、上述のような中間調表示は、「パルス幅変調」により実現されているということができる。
【００８０】
以上が、基本的な四値駆動法の概略である。
【００８１】
ところで、このような四値駆動法をそのままの形で適用すれば、背景技術の項で述べたような横クロストークの問題が発生する。すなわち、図１乃至図４に示したように、本実施形態に係る電気光学装置では、走査線駆動回路３５０から走査線３１２が引き出される構造を有していることから、走査線３１２を駆動するための走査線駆動回路３５０の出力抵抗、該走査線駆動回路３５０及び走査線３１２間を結線する配線３４２の抵抗、更には走査線３１２それ自身が有する配線抵抗など、いわば同一線上に乗る抵抗が存在するとともに、これに液晶容量１１８が並列的に加わることで、該電気光学装置は、一種の微分回路を含むものとみることができる。この場合、データ線２１２に上述したようなＸｊなるデータ信号（図６参照）が加わると、該電圧の変化分に応じたスパイク状のノイズ電圧が、走査線３１２に重畳されることになる。すなわち、図７に示すように、ｊ列目のデータ線２１２に対して＋Ｖｄ／２と−Ｖｄ／２とが交互に印加される場合を想定すると、任意の走査線３１２では、データ信号Ｘｊの−Ｖｄ／２から＋Ｖｄ／２への立ち上がりに応じて、その微分波形としてプラス方向に立ち上がるノイズ電圧Ｙ＊ｉが表れ、その逆では、マイナス方向に立ち下がるノイズ電圧Ｙ＊ｉが表れることになる。
【００８２】
このようなノイズ電圧Ｙ＊ｉが発生すると、例えば図８に示すように、画像上に不都合が生じる。ここに図８は、画像に対する走査線３１２上のノイズ電圧の影響を説明するための説明図であって、（ａ）は本来表示すべき画像、（ｂ）はノイズ電圧の影響を受けた画像の例を示す図である。この図８においては、本来であれば、淡い灰色の背景Ｂ、並びに、図中上下方向の中間に位置し且つ図中左右に走る白色のラインＷＬ、及び、該ラインＷＬの図中左右方向の中間で前記背景と同色（すなわち、淡い灰色）の矩形要素ＲＴからなる画像表示を行いたいのであるが（図８（ａ）参照）、ノイズ電圧Ｙ＊ｉの影響により、前記矩形要素ＲＴが、淡い灰色よりも濃い色を有することとなってしまうことが示されている（図８（ｂ）参照）。
【００８３】
以下、このような不具合の生じる事情を、図９及び図１０を参照して説明する。ここに、図９は、図８におけるラインＷＬに対応しない走査線３１２に印加される選択電圧ＹＮＯＴ・ＷＬの印加態様と、該選択電圧ＹＮＯＴ・ＷＬが印加されている場合における矩形要素ＲＴに対応するデータ線２１２に印加されるデータ信号ＸＲＴ及び対応しないデータ線２１２に印加されるデータ信号ＸＮＯＴ・ＲＴの印加態様とを示す図である。また、図１０は、ラインＷＬに対応する走査線３１２に印加される選択電圧ＹＷＬの印加態様、及び、その場合におけるデータ信号ＸＲＴ及びＸＮＯＴ・ＲＴの印加態様を示す図である。
【００８４】
まず、図８（ａ）又は（ｂ）におけるラインＷＬの上下に位置するすべての走査線３１２に着目すると、その選択電圧ＹＮＯＴ・ＷＬが印加されている間は、すべてのデータ線２１２に対して、淡い灰色表示を内容とする同じデータ信号Ｘｊが印加されることになるから、該走査線３１２には、図７で示したようなノイズ電圧Ｙ＊ｉは同じ時点で同じようにかかることとなる。したがって、該走査線３１２における選択電圧ＹＮＯＴ・ＷＬの波形は、図９に示すように大きく鈍ることになるが、画像上は同一階調の表示となっているため、該ノイズ電圧Ｙ＊ｉの影響は然程大きなものとしては認識されない。
【００８５】
これに対して、ラインＷＬを表示するための走査線３１２に着目すると、その選択電圧ＹＷＬが印加されている間は、矩形要素ＲＴに対応するデータ線２１２に印加されるデータ信号ＸＲＴと、その他のデータ線２１２に印加されるデータ信号ＸＮＯＴ・ＲＴとでは、両者の波形が異なることになる。具体的には、図１０に示すように、前者のデータ信号ＸＲＴでは、図９と同じように選択電圧の印加期間途中でデータ信号ＸＲＴが立ち下がる変化をみせるのに対して、後者のデータ信号ＸＮＯＴ・ＲＴでは、白色表示を行おうとしているから、選択電圧の印加期間の最初に立ち上がり、その最後に立ち下がる波形のデータ信号ＸＮＯＴ・ＲＴが印加されることになる。
【００８６】
すると、当該走査線３１２における選択電圧ＹＷＬの波形は、前記データ信号ＸＲＴ及びＸＮＯＴ・ＲＴの存在により、その上下に位置する走査線３１２における選択電圧ＹＮＯＴ・ＷＬの波形とは異なることになる。具体的には、当該走査線３１２における選択電圧ＹＷＬの波形は、図１０に示すように、選択期間の開始時に印加電圧を高くする方向にノイズ電圧が重畳する。すなわち、図１０では、白色表示を行おうとするデータ線２１２が圧倒的多数であるため、図７様のノイズ電圧Ｙ＊ｉは、選択電圧ＹＷＬの開始時に集中して重畳されることとなる。
【００８７】
以上の結果、ラインＷＬに対応する走査線３１２と、矩形要素ＲＴに対応するデータ線２１２との交差領域における液晶容量１１８に印加される電圧実効値は、背景Ｂの部分における液晶容量１１８におけるそれよりも、若干ながら実質的に大きくなるから、矩形要素ＲＴで表現される灰色は、背景Ｂで表現される灰色よりも濃いという状態が現出されてしまうのである。
【００８８】
そこで、本実施形態においては特に、走査線３１２に供給される選択電圧Ｙｉの印加態様について、上述とは異なる態様をとる。すなわち、本実施形態では、前記した「選択期間」の開始時又は終了時には、選択電圧を印加しない所定の期間を設けるのである。より具体的には、例えば図１１に示すような駆動方法となる。ここに図１１は、本発明に係る電気光学装置の駆動方法を、本実施形態に係る四値駆動法を基礎として駆動される電気光学装置に適用した一例を示すタイミングチャートである。
【００８９】
この図１１においてまず、選択期間１Ｈは、上述したようにある一定の決まった長さを有する。そして、図１１では、図５又は図９若しくは図１０で示したのとは異なり、或るデータ線２１２に白色信号が入力される場合には、選択すべき走査線３１２に対して、該白色信号の印加時点より所定の期間ＩＮＴ１だけずらした後、選択電圧Ｙｐａｔを印加するのである。
【００９０】
このような選択電圧Ｙｐａｔの印加態様を採用すれば、図７で示したような最大波形のノイズ電圧Ｙ＊ｉによる影響を回避することが可能となる。すなわち、図１１の選択電圧Ｙｐａｔの波形と併せて示されているように、データ信号ＸＷＴのＬレベルからＨレベルへの立ち上がりの際に、最大ピークが生じるノイズ電圧Ｙ＊ｉ（図７参照）は、前記の所定の期間ＩＮＴ１内において走査線３１２に重畳されることとなり、正味の選択電圧Ｙｐａｔが印加される期間内に、そのようなノイズ電圧Ｙ＊ｉが重畳されるようなことがないのである。
【００９１】
このような駆動方法を、図８（ｂ）のような場合、あるいは図１０に示すような場合に適用すると、図１２に示されるようになる。すなわち、この図１２では、図１１と同様にして、選択期間の開始時において、所定の期間ＩＮＴ１だけ、その印加点を遅らせた選択電圧Ｙｐａｔ・ＷＬが印加されている。このようにすれば、ラインＷＬに対応する走査線３１２を選択する期間中、図１０で示したように、圧倒的多数のデータ線２１２に対し矩形要素ＲＴに対応しない白色表示を内容とするデータ信号ＸＮＯＴ・ＲＴが印加される場合であっても、当該走査線３１２上に生じるノイズ電圧Ｙ＊ｉの重畳を極めて小さく抑えることが可能となる。
【００９２】
そしてまた、このような処理を行う結果、当該選択電圧Ｙｐａｔ・ＷＬが印加されている期間に着目すれば、ラインＷＬに対応する走査線３１２に対応する液晶容量１１８には、そうでない走査線３１２に対応するそれよりも、より小さい電圧実効値がかかることになり、したがって、ラインＷＬ上の階調は、より白色に近い階調を呈示することとなるのである。
【００９３】
このようなことから、矩形要素ＲＴは、従前よりもより淡く表示されることとなり、図８（ａ）に示すような本来表示すべき画像に限りなく近い、高品質な画像を表示することが可能となるのである。
【００９４】
なお、この場合、ラインＷＬに対応しない走査線３１２については、即ち、白表示の無い行については、図９に示したように、選択電圧ＹＮＯＴ・ＷＬを選択期間の開始時から印加するようにしてもよい。但し、いずれの行についても実際に選択電圧を印加する時間は一定にする。また、前記の所定の期間ＩＮＴ１の具体的な大きさは、上述した事情からもわかるように、ノイズ電圧Ｙ＊ｉの最大ピークの時間幅よりも大きくとるのが好適な一態様となる。ただし、本発明は、そのような形態に限定されるものではなく、その他諸般の事情に鑑みて、時宜、適当な所定の期間ＩＮＴ１の具体的大きさを定めることができる。
【００９５】
このように、本実施形態によれば、選択電圧の印加態様を従前と異ならしめるだけで、横ストロークの発生を防止することが可能となる。
【００９６】
ちなみに、このような作用効果は、表示パターンに応じてパルス幅を補正するなどという対処方法でも、同様に達成することが可能であるとも考えられるが、このような方法では、回路が徒に複雑化し、コスト増を招き、かつ、消費電力も増大することとなる。また、ハード面での対処方法としては、走査線３１２、走査線駆動回路３５０、及び両者を電気的に接続する配線３４２等を低抵抗な材料で構成することによって、微分回路としての作用を走査線３１２上に生じさせないようにすることも考えられるが、このような方法には自ずと限界があり、また、コスト増を招くこととなる。
【００９７】
本実施形態では、これらのような不都合を被ることなく、上記した作用効果を享受しうることにより、走査線３１２上に重畳されるスパイク状の微分波形の影響を受けることなく、高品質な画像を表示することが可能となるのである。
【００９８】
なお、上述においては、図８の画像表示例の不具合を解消することについての説明を行ったが、その他の場合においても、上記実施形態と同様に、選択期間の開始時から期間ＩＮＴ１をおいた後、選択電圧を印加する態様を採れば、横ストロークの問題を有効に解消することができる。
【００９９】
例えば、図１３では、図８（ａ）及び（ｂ）の関係と同様に、図１３（ａ）が本来表示したい画像であるにもかかわらず、従来の駆動方法のままでは、図１３（ｂ）のように表示されてしまう表示例が示されている。これは、図９及び図１０と同趣旨の図である図１４及び図１５に示されるように、ラインＷＬ´に対応しない走査線３１２では、背景が黒であるために、選択電圧ＹＮＯＴ・ＷＬ´の前縁がノイズ電圧Ｙ＊ｉの影響によって大きく鈍るのに対して（図１４参照）、ラインＷＬ´に対応する走査線３１２では、背景が白であるために、選択電圧ＹＷＬ´の前縁が大きくは鈍らないからである（図１５参照）。その結果、図１３（ｂ）に示すように、矩形要素ＲＴ´の領域は、本来表示したい階調よりも濃いものが表示されてしまうことになる。
【０１００】
そして、本発明は、このような場合においても、有効にその作用効果を発揮し得る。すなわち、図１６及び図１７に示すように、図１４及び図１５に示した選択電圧ＹＮＯＴ・ＷＬ´及びＹＷＬ´の印加タイミングを、選択期間の開始時から期間ＩＮＴ１だけ遅らせるのである。このようにすれば、上述したようなノイズ電圧Ｙ＊ｉの影響を極力排除することが可能となるから、図１３（ａ）に示すような本来表示したい画像に限りなく近い、高品質な画像を表示することが可能となるのである。
【０１０１】
要するに、白色表示又は黒色表示の相違は、データ電圧Ｘｊの変化する向きが異なるだけで、両者間では、走査線３１２上にノイズ電圧Ｙ＊ｉを重畳させることについての本質的な相違があるわけではないから（図７参照）、いずれの場合であっても、上述したような期間ＩＮＴ１を設けることの意義が認められるのである。なお、上述したことからも明らかなように、本発明に係る作用効果は、図８又は図１３のように、背景を白色表示又は黒色表示で塗り潰すような場合において、これを最大限享受できる。ただし、本発明はそのような形態に限定されるものではない。一般に、白色表示又は黒色表示を行う場合において、本実施形態で述べたような処理を行えば、どのような画像を表示する場合でも相応の作用効果は得られる。
【０１０２】
また、上記実施形態では、遅延させる期間ＩＮＴ１を、選択期間の開始時に設けていたが、本発明はこのような形態に限定されるものではない。例えば、図１１と同趣旨の図１８に示すように、選択期間の開始時に遅延期間ＩＮＴ１を設けるとともに、選択期間の終了時から遡った期間ＩＮＴ２を設け、この期間ＩＮＴ２に入る前に選択電圧Ｙ´ｐａｔの印加を止めるような形態としてもよい。さらには、場合によっては、図１９に示すように、前記遡った期間ＩＮＴ２のみを設けるような形態としてもよい。いずれにせよ、図１８又は図１９に示される選択電圧Ｙ´ｐａｔ又はＹ´´ｐａｔの波形のように、その印加時間が短くなることにより、ノイズ電圧Ｙ＊ｉの影響を極力排除することが可能となり、より高品質な画像を表示することが可能であることは、前記と同様である。
【０１０３】
さらに、上記実施形態にいう選択期間は、実際上は、様々な形で定義することができる。例えば、該選択期間は、液晶容量１１８に印加すべき電圧実効値から逆算して決めることができる。すなわち、上述の８階調表示が可能な電気光学装置では、白又は黒が表示されるのに十分な選択電圧印加期間が設けられることを配慮した上で、該期間に対して、逆算的に前記期間ＩＮＴ１又はＩＮＴ２を加えた分だけの期間を、「選択期間」と定義することもできる。
【０１０４】
要するに、本発明においては、データ線に印加するデータ信号の印加タイミングよりも、選択電圧の印加タイミングを所定期間だけずらすということが肝要であり、それに適するように、選択期間を決めるようにすればよい。なお、本発明の要件を、この選択期間なる概念を用いて表現するならば、「走査線とデータ線との交差に対応して設けられた画素部を駆動する電気光学装置であって、一定の長さを有する選択期間の開始時に前記データ線に対してデータ信号を印加するデータ線駆動回路と、前記選択期間の開始時から所定の期間の経過後、前記走査線に対して走査信号としての選択電圧を印加する走査線駆動回路とを備えている」ということになる。
【０１０５】
（電子機器）
次に、上述した実施形態に係る電気光学装置を電子機器に用いた例について説明する。
【０１０６】
＜モバイル型コンピュータ＞
まず、上述し電気光学装置を、パーソナルコンピュータの表示部に適用した例について説明する。図２０は、このパーソナルコンピュータの構成を示す斜視図である。この図において、コンピュータ１１００は、キーボード１１０２を備えた本体部１１０４と、表示部として用いられる表示装置１００とを備えている。なお、表示装置１００として透過型液晶表示装置を用いる場合には、暗所での視認性を確保するため、背面にバックライト（図示略）が設けられる。
【０１０７】
＜携帯電話＞
次に、上述した電気光学装置を、携帯電話の表示部に適用した例について説明する。図２１は、この携帯電話の構成を示す斜視図である。この図において、携帯電話１２００は、複数の操作ボタン１２０２のほか、受話口１２０４、送話口１２０６とともに、上述した電気光学装置を表示装置１００として備えるものである。なお、表示装置１００として、液晶装置を用いる場合には、暗所での視認性を確保するため、透過型や半透過半反射型であればバックライトが、反射型であればフロントライト（いずれも図示省略）がそれぞれ設けられる。
【０１０８】
＜デジタルスチルカメラ＞
次に、上述した電気光学装置を、ファインダに用いたデジタルスチルカメラについて説明する。図２２は、このデジタルスチルカメラの背面を示す斜視図である。通常の銀塩カメラは、被写体の光像によってフィルムを感光させるのに対し、デジタルスチルカメラ１３００は、被写体の光像をＣＣＤなどの撮像素子により光電変換して撮像信号を生成するものである。ここでデジタルスチルカメラにおけるケース１３０２の背面には、上述した電気光学装置が表示装置１００として設けられ、ＣＣＤによる撮像信号に基づいて、表示を行うようになっている。このため、表示装置１００は、被写体を表示するファインダとして機能することになる。また、ケース１３０２の前面側（図においては裏面側）には、光学レンズやＣＣＤなどを含んで受光ユニット１３０４が設けられている。
【０１０９】
ここで撮影者が、表示装置１００に表示された被写像を確認して、シャッタボタン１３０６を押下すると、その時点におけるＣＣＤの撮像信号が、回路基板１３０８のメモリに転送・格納される。
【０１１０】
また、デジタルスチルカメラ１３００にあっては、ケース１３０２の側面に外部表示を行うために、ビデオ信号出力端子１３１２と、データ通信用の入力端子１３１４とが設けられている。
【０１１１】
なお、電子機器としては、これらの他、液晶テレビや、ビューファインダ型、モニタ直視型のビデオテープレコーダ、カーナビゲーションシステム、ページャ、電子手帳、電卓、ワードプロセッサ、ワークステーション、テレビ電話、ＰＯＳ端末、タッチパネルを備えた機器等が挙げられる。
【０１１２】
本発明は、上述した実施形態に限られるものではなく、請求の範囲及び明細書全体から読み取れる発明の要旨、あるいは思想に反しない範囲で適宜変更可能であり、そのような変更を伴う電気光学装置及びその駆動方法並びに電子機器もまた、本発明の技術的範囲に含まれるものである。例えば、ＴＦＴなどの三端子型スイッチング素子を用いた電気光学装置や、パッシブ・マトリクス型の電気光学装置にも適用することが可能である。また、本明細書においては電気光学物質として液晶を用いて説明したが、例えばＥＬ（エレクトロ・ルミネッセンス）を用いた電気光学装置にも適用することが可能であることは言うまでもない。
【図面の簡単な説明】
【図１】本発明の実施形態に係る電気光学装置の電気的な構成を示すブロック図である。
【図２】同電気光学装置の構成を示す斜視図である。
【図３】同電気光学装置をＸ方向で破断した場合の構成を示す部分断面図である。
【図４】同電気光学装置の要部構成を示す部分破断斜視図である。
【図５】四値駆動法（１Ｈセレクト、１Ｈ反転）における走査信号Ｙｉ及びＹｉ＋１並びにデータ信号Ｘｊの波形例を示す図である。
【図６】中間調表示を行う場合の走査信号Ｙｉ及びデータ信号Ｘｊの波形例を示す図である。
【図７】データ線２１２に対するデータ信号の供給によって、走査線３１２上に生じるノイズ電圧の波形例を示す図である。
【図８】画像表示に対する走査線上のノイズ電圧の影響を説明する図であって、（ａ）は本来表示すべき画像、（ｂ）はノイズ電圧の影響を受けた画像の表示例を示している。
【図９】図８に示すラインに対応しない走査線に印加される選択電圧の印加態様と、該選択電圧が印加されている場合における矩形要素に対応するデータ線に印加されるデータ信号及び対応しないデータ線に印加されるデータ信号の印加態様とを示す図である。
【図１０】図８に示すラインに対応する走査線に印加される選択電圧の印加態様と、該選択電圧が印加されている場合における矩形要素に対応するデータ線に印加されるデータ信号及び対応しないデータ線に印加されるデータ信号の印加態様とを示す図である。
【図１１】本実施形態の駆動方法に係り、選択期間の開始時から遅延させた期間を設けて選択電圧を印加する態様と、その場合におけるデータ信号の波形例を示す図である。
【図１２】図１１に示す駆動方法を図１０に適用した場合における選択電圧及びデータ信号の波形例を示す図である。
【図１３】図８と同趣旨の図であって、（ａ）は本来表示すべき画像、（ｂ）はノイズ電圧の影響を受けた画像の表示例を示している。
【図１４】図１３に示すラインに対応しない走査線に印加される選択電圧の印加態様と、該選択電圧が印加されている場合における矩形要素に対応するデータ線に印加されるデータ信号及び対応しないデータ線に印加されるデータ信号の印加態様とを示す図である。
【図１５】図１３に示すラインに対応する走査線に印加される選択電圧の印加態様と、該選択電圧が印加されている場合における矩形要素に対応するデータ線に印加されるデータ信号及び対応しないデータ線に印加されるデータ信号の印加態様とを示す図である。
【図１６】図１１に示す駆動方法を図１４に適用した場合における選択電圧及びデータ信号の波形例を示す図である。
【図１７】図１１に示す駆動方法を図１５に適用した場合における選択電圧及びデータ信号の波形例を示す図である。
【図１８】図１１と同趣旨の図であって、選択期間の終了時から遡った期間を設けて選択電圧の印加をやめる態様と、その場合におけるデータ信号の波形例を示す図である。
【図１９】図１１と同趣旨の図であって、図１１及び図１８の双方に示す期間をともに設けた態様を示す図である。
【図２０】実施形態に係る電気光学装置を適用した電子機器の一例たるパーソナルコンピュータの構成を示す斜視図である。
【図２１】同電気光学装置を適用した電子機器の一例たる携帯電話の構成を示す斜視図である。
【図２２】同電気光学装置を適用した電子機器の一例たるディジタルスチルカメラの背面構成を示す斜視図である。
【符号の説明】
１１６……画素部
１１８……液晶容量
１６０……液晶
２００……素子基板
２１２……データ線
２２０……ＴＦＤ
２３４……画素電極
２５０……データ線駆動回路
３００……対向基板
３１２……走査線
３５０……走査線駆動回路
１１００……パーソナルコンピュータ
１２００……携帯電話
１３００……ディジタルスチルカメラ
【図１】
2004020638.tif 000003
【図２】
2004020638.tif 000004
【図３】
2004020638.tif 000005
【図４】
2004020638.tif 000006
【図５】
2004020638.tif 000007
【図６】
2004020638.tif 000008
【図７】
2004020638.tif 000009
【図８】
2004020638.tif 000010
【図９】
2004020638.tif 000011
【図１０】
2004020638.tif 000012
【図１１】
2004020638.tif 000013
【図１２】
2004020638.tif 000014
【図１３】
2004020638.tif 000015
【図１４】
2004020638.tif 000016
【図１５】
2004020638.tif 000017
【図１６】
2004020638.tif 000018
【図１７】
2004020638.tif 000019
【図１８】
2004020638.tif 000020
【図１９】
2004020638.tif 000021
【図２０】
2004020638.tif 000022
【図２１】
2004020638.tif 000023
【図２２】
2004020638.tif 000024